(57)【特許請求の範囲】
【請求項１】
引出し扉に第１の収納容器、その上部に第２の収納容器を備え、前記第１の収納容器の側壁上端部にフランジ摺動面とこのフランジ摺動面から一体にストッパーを形成し、且つ前記第２の収納容器の側壁から一体に設けた突起と、ローラと、前記第２の収納容器が、前記第１の収納容器の前記フランジ摺動面上に当接し、前後方向に可動に設け、前記引出し扉を引出した状態より第２の収納容器を奥に押し込む場合に、まず前記突起は前記ストッパーに当接し、更に前記突起を前記ストッパーから浮かせて後方に押し込み前記ローラと前記ストッパーを係合させたことを特徴とする冷蔵庫の収納容器。
【発明の詳細な説明】
【０００１】
【発明の属する技術分野】
本発明は、引出し式扉を有し、内部に複数の引出し容器を有する冷蔵庫に関するものである。
【０００２】
【従来の技術】
近年、冷蔵庫は食生活の多様化にともない、食品別、保存温度別に独立した室を有するものが増加してきている。例えば、実公昭６３−７８３２号公報にその一例が示されており以下、図面を参照しながら上記従来の冷蔵庫を説明する。
【０００３】
図９は従来の冷蔵庫側面図、図１０は同冷蔵庫の引出し式扉を有する冷蔵庫の要部断面図である。１は冷蔵庫本体、２は冷凍室扉で、３は冷蔵室扉である。４は野菜室扉で引出し式である。５は外箱、６は内箱、７は内外箱間に充填した発泡断熱材、８は仕切壁で、９はこの仕切壁８の後方に連接した蓋体である。この蓋体９の左右にはレール１０をそれぞれ一体に設けてあり、このレール１０で支持され自在に引出し可能な収納小容器１１が配置されている。引出し式の扉４の裏面に１２にはコ字状枠をなし、後端にローラ１３ａを有するレール１３が設けられこのレール１３を摺動案内するべく、室内６ａには内箱６の左右に固定したローラ１４ａを有する固定レール１４が設けられている。１５はレール１３にその上部開口部を懸架した収納大容器である。従って、両容器１１，１５はそれぞれ独立して引出しされる小容器１１の底面の裏面１１ａには、三角形状の突起１１ｂが一体に左右に形成されている。１５ａは大容器の後部フランジ面である。そして、野菜室扉４を引き出すことにより大容器１５が引き出され、このとき小容器１１は、大容器の後部フランジ面１５ａと突起部１１ｂの係合後更に大容器１５を出しきったとき小容器１１の前端が冷蔵室扉３の前面迄引き出されるようになっている。また小容器１１を庫内側６ａＩＩ押し込む場合等においては、小容器１１の突起１１ｂが、前記フランジ面１５ａを乗り越えると共に、乗り越える際の小容器１１の上方への６ｂへの動き代を吸収できるようにしている。また小容器１１は独立して大容器１５の上面開口部へ小容器１１の前端を持って前へ引き出される構成である。
【０００４】
【発明が解決しようとする課題】
しかしながら上記のような構成では、引出し扉を手前に引き出す時、大容器内に入れた食品が小容器に設けた突起に当たり食品に傷を付けるとか、食品に突起が当たり扉が手前に引き出さないという課題がある。更に小容器の突起が大容器の食品収納部に位置するため食品の収納が限られるので保存スペースが減じる又容器の底にしまった食品の取り出しがわずらわしい、且つ最近のような多様化した食品形態や、食品の使用頻度に合わした食品の適切な保存に劣るという欠点があった。
【０００５】
本発明は従来の課題を解決するもので、収納食品の種類に応じて適切な貯蔵を提供するとともに、使い勝手を同時に改善した冷蔵庫を提供することを目的とする。
【０００６】
【課題を解決するための手段】
本発明の請求項１に記載の発明は、引出し扉に第１の収納容器、その上部に第２の収納容器を備え、前記第１の収納容器の側壁上端部にフランジ摺動面とこのフランジ摺動面から一体にストッパーを形成し、且つ前記第２の収納容器の側壁から一体に設けた突起と、ローラと、前記第２の収納容器が、前記第１の収納容器の前記フランジ摺動面上に当接し、前後方向に可動に設け、前記引出し扉を引出した状態より第２の収納容器を奥に押し込む場合に、まず前記突起は前記ストッパーに当接し、更に前記突起を前記ストッパーから浮かせて後方に押し込み前記ローラと前記ストッパーを係合させたものであり、扉を引出した時第１，第２の収納容器が同時に引き出せ、又第１収納容器内の食品を取り出す時、第２の収納容器を奧に簡単に移動させ食品の出し入れができる。
【０００７】
また、引出し扉を引出した状態より第２の収納容器を奥に押し込む場合に、まず前記突起は前記ストッパーに当接し（第一段階）、更に前記突起を前記ストッパーから浮かせて後方に押し込み前記ローラと前記ストッパーを係合させた（第二段階）ことによって、第２の収納容器の押し込み位置を二段階に設定することができ第１の収納容器の前方の収納物を取り出すだけの場合には第一段階の位置まで第２の収納容器を押し込むことで取り出せ、後方の収納物まで取り出す場合は第二段階の位置まで第２の収納容器を押し込むことで取り出すことができます。
【０００８】
また、第２の収納容器が第１の収納容器の上面を移動しても邪魔な突起がない為、従来例のような、突起が収納された食品に当たり傷を付けるとか、扉が閉まらないという問題がない。
【０００９】
【発明の実施の形態】
以下、本発明による冷蔵庫の実施の形態について、図面を参照しながら説明する。
【００１０】
（実施の形態１）
図１は本発明の実施の形態１による冷蔵庫の側面図である。図２は同実施の形態１の冷蔵庫の扉を開いた状態の断面図である。図３は同実施の形態１の冷蔵庫の扉を開き第２の収納容器を奧へ押し込んだ状態を示す断面図である。図４は同実施の形態１の第１の収納容器上面を第２の収納容器が奧へ移動しストッパーで係止した状態を示す部分拡大図、図５は第２の収納容器がストッパー部で係止した状態を示す要部断面図、図６は第１、第２、第３の収納容器が冷蔵庫内に収納された状態を示す側面図、図７は第１の収納容器の斜視図、図８は第２の収納容器の斜視図である。
【００１１】
図１から図８において、１６は冷蔵庫本体、１７は冷蔵室扉、１８は野菜室扉で、１９は引出し式の冷凍室扉である。２０は鋼板製の外箱、２１は内箱、２２は内外箱間に充填した発泡断熱材、２３は冷蔵温度空間と冷凍温度空間を上下に区画した区画壁である。前記冷凍室扉１９の裏面２４にはフレーム２５をビス止めして設け、前記フレーム２５後端にローラ２５ａを有している。冷凍室１９ａ内には内箱２１の左右に固定レール２６が設けられ、前記固定レール２６の前端にはローラ２６ａを有し前記フレーム２５を摺動案内する。
【００１２】
２７は上面を開口した第１の収納容器で、前記フレーム２５に保持されている。２７ａは前記第１の収納容器２７の上面両端、すなわち側壁上端部に一体に形成したフランジ摺動面である。前記フランジ摺動面２７ａの後方には摺動面上から一体に突状のストッパー片２７ｂが形成されている。
【００１３】
２８は第１収納容器２７の上方に位置し上面に開口した第２の収納容器であり、前記第２の収納容器２８の両側壁２８ａの前部に一対のローラ２８ｂと後部には両側壁２８ａから突出した１対の突起２８ｃを一体に設けている。
【００１４】
前記第１の収納容器２７のフランジ摺動面２７ａ上に前記ローラ２８ｂと突出した突起２８ｃを当接し前記第１の収納容器２７の上面に第２の収納容器２８が配置されている。
【００１５】
２９は第２の収納容器２８の上方に位置した独立した第３の収納容器である。
【００１６】
それぞれの収納容器の深さは第１の収納容器２７が最も深く、次いで第２の収納容器２８となり第３の収納容器２９が最も浅い容器になっているので、保存食品の大きさに応じて分けて収納でき、また冷凍室扉１９を引出した時、意匠性に優れ薄型冷蔵庫に適したスッキリ感を与えてくれる。
【００１７】
３０は第３の収納容器２９を摺動案内するレールで、内箱２１の左右に固定されている。
【００１８】
以上のように構成された冷蔵庫の収納容器について、以下図１から図８を用いてその動作を説明する。
【００１９】
まず図２と図３は、冷凍室の扉１９を引出した状態を示すものである。扉１９が手前に引出されるとフレーム２５に保持された第１の収納容器２７と、上部の第２の収納容器２８がフレームの後端に設けたローラ２５ａによって、固定レール２６に沿って動き手前に一体に引出される。
【００２０】
この状態では第１の収納容器２７に保存した食品を取り出すことができなく、第２の収納容器２８に保存した食品を取り出せる。第１の収納容器２７内に保存した食品を取り出そうとする場合、図３から図５に示すように、第１の収納容器２７の上方にある第２の収納容器２８に手を掛けて奧へ押し込み、第１の収納容器２７のフランジ摺動面２７ａに当接している第２の収納容器２８のローラ２８ｂが摺動面２７ａ上に沿って動き、奧後方へ押し込まれる。
【００２１】
この時、第２の収納容器２８の後部に設けた突起２８ｃが、第１の収納容器２７のストッパー片２７ｂに当接し、第２の収納容器２８がストップされ、更に前記突起２８ｃを前記ストッパー片２７ｂから浮かせて第２の収納容器２８を後方へ押し込むと、ローラ２８ｂとストッパー片２８ｂとが係合し摺動寸法Ａが確保でき、第１の収納容器２７内の食品を容易に出し入れできる。本実施の形態の場合、寸法Ａは約１８０ｍｍであり冷凍食品等を取出し易い寸法が確保されている。
【００２２】
また本図では図示していないが、第２の収納容器２８を、第１の収納容器２７上から離脱するべく第２の収納容器を室内２１ａ移動することもできる。
【００２３】
第３の収納容器２９内に保存した食品のみを取り出そうとする時は、扉１９を開いた状態で、扉１９を閉じた時の状態のまま独立して静止している第３の収納容器２９を手前に引いてレール３０に沿って引出し、食品を取り出すことができる。
【００２４】
以上のような説明により、第２の収納容器２８の前後動のストッパーが、第１の収納容器２７の食品保存内に設けていないため、第２の収納容器２８の移動時に食品に当たり傷を付けるとか、食品に当たり扉１９が閉まらないということがない。
【００２５】
更に食品の収納ゾーンが限られることがなく有効スペースがアップする。また室内に第１〜第３の複数の収納容器を用意しているため、食品の種類によって収納が使い分けられ、使い勝手のよい適切な食品保存が提供できる。
【００２６】
【発明の効果】
以上説明したように請求項１に記載の発明は、引出し扉に第１の収納容器、その上部に第２の収納容器を備え、前記第１の収納容器の側壁上端部にフランジ摺動面とこのフランジ摺動面から一体にストッパーを形成し、且つ前記第２の収納容器の側壁から一体に設けた突起と、ローラと、前記第２の収納容器が、前記第１の収納容器の前記フランジ摺動面上に当接し、前後方向に可動に設け、前記引出し扉を引出した状態より第２の収納容器を奥に押し込む場合に、まず前記突起は前記ストッパーに当接し、更に前記突起を前記ストッパーから浮かせて後方に押し込み前記ローラと前記ストッパーを係合させたので、第２の収納容器内の食品の出し入れが簡単にでき、第１の収納容器の食品の出し入れも、第２の収納容器を、第１の収納容器上を簡単に前後に移動させるだけで容易にできる。又第２収納容器の前後位置決めストッパーが第１の収納容器内にない為、第２の収納容器の前後スライド時、食品に当たったり、傷を付けたり、扉が閉まらないということもない。
【図面の簡単な説明】
【図１】  本発明の実施の形態１による冷蔵庫の側面図
【図２】  同実施の形態１の冷蔵庫の扉を開いた状態の断面図
【図３】  同実施の形態１の第２の収納容器を奧へ押し込んだ状態図
【図４】  第２の収納容器がストッパーで係止した状態を示す部分拡大図
【図５】  第２の収納容器がストッパー部で係止した状態を示す要部断面図
【図６】  第１、第２、第３の収納容器が冷蔵庫内に収納された状態を示す側面図
【図７】  第１の収納容器の斜視図
【図８】  図８は第２の収納容器の斜視図
【図９】  従来の冷蔵庫の側面図
【図１０】  従来の冷蔵庫の要部断面図
【符号の説明】
１９  冷凍室扉
２７  第１の収納容器
２７ａ  フランジ摺動面
２７ｂ  ストッパー片
２８  第２の収納容器
２８ａ  両側壁
２８ｂ  ローラ
２８ｃ  突起
【図１】
0004483032.tif 000002
【図２】
0004483032.tif 000003
【図３】
0004483032.tif 000004
【図４】
0004483032.tif 000005
【図５】
0004483032.tif 000006
【図６】
0004483032.tif 000007
【図７】
0004483032.tif 000008
【図８】
0004483032.tif 000009
【図９】
0004483032.tif 000010
【図１０】
0004483032.tif 000011